(57)【要約】【課題】  複数層から構成される層の取付部にＩＣタグ、ＩＣチップ等の認識部材を設置することで認識部材を紛失する虞のない認識部材付履物及びＩＣタグ、ＩＣチップ等の認識部材を具備する踵部材を提供する。【解決手段】  個人情報を記憶した認識部材を踵部材に設け、踵部材を着脱可能に取り付けた認識部材付履物において、踵部材は複数の層から構成され、上層及び下層にて狭持されるいずれか一層に形成される取付部に認識部材を設置したことを特徴とする認識部材付履物。【選択図】  図１
0003150987.tif 000002
【実用新案登録請求の範囲】
【請求項１】
個人情報を記憶した認識部材を踵部材に設け、踵部材を着脱可能に取り付けた認識部材付履物において、踵部材は複数の層から構成され、上層及び下層にて狭持されるいずれか一層に形成される取付部に認識部材を設置したことを特徴とする認識部材付履物。
【請求項２】
取付部が貫通孔若しくは凹部である請求項１に記載の認識部材付履物。
【請求項３】
取付部が認識部材と略同形である請求項１又は請求項２に記載の認識部材付履物。
【請求項４】
取付部が踵部材における中層位置に形成される請求項１乃至請求項３のいずれか１項に記載の認識部材付履物。
【請求項５】
個人情報を記憶した認識部材を具備し、履物に着脱可能に取り付けられる踵部材において、複数層から構成され、上層及び下層にて狭持されるいずれか一層に形成される取付部に認識部材を設置したことを特徴とする踵部材。
【請求項６】
取付部が貫通孔若しくは凹部である請求項５に記載の踵部材。
【請求項７】
取付部が認識部材と略同形である請求項５又は請求項６に記載の踵部材。
【請求項８】
取付部が複数層における中層位置に形成される請求項５乃至請求項７のいずれか１項に記載の踵部材。
【考案の詳細な説明】
【技術分野】
【０００１】
本考案は、使用者を識別することができるＩＣタグ等の認識部材を具備する認識部材付履物及びＩＣタグ等の認識部材を具備する踵部材に関するものである。
【背景技術】
【０００２】
従来より、交通機関の自動改札システム、各種の遊園地、レジャー施設又は医療現場等において、ＩＣタグ、ＩＣカード等の認識部材が利用されている。
【０００３】
例えば、交通機関の自動改札システムにおいては、通過時にて自動改札口にＩＣカードをかざす必要があり、その都度、カバン、財布等からのＩＣカードの取り出しが煩雑であった。
【０００４】
これらを改善したもので、ＩＣカード挿入口、ＩＣカードを収納可能とする収納部を具備し、固定手段によって靴に着脱可能に取り付けた認識部材付履物及び靴底部材が公知である（例えば、特許文献１）。
【０００５】
これにより、通勤・通学に当たり自宅にて靴を履く時、定期券に関する情報を個人情報として記憶したＩＣカードをＩＣカード挿入口に挿入しＩＣカード収納部内に格納しておけば、自動改札口にて、定期券を係り員に提示する又は自動改札口に定期券を投入し、再度定期券入れ等に戻す必要性はなく、単に床面に内蔵された送受信装置上又は傍を歩くことで、改札が完了するものである。
【先行技術文献】
【特許文献】
【０００６】
【特許文献１】特開２００１−３７５０５号公報
【考案の概要】
【考案が解決しようとする課題】
【０００７】
しかし、特許文献１に係る構造では、ＩＣカードが不意に離脱しないような構造を採用しているが、ＩＣカード挿入口から抜け落ちる虞がある。例えば、ＩＣカード収納部を靴の上部側（足の甲側）でない、底部等に設置する場合には、使用者が歩行中にＩＣカードが抜け落ちたことを目視で確認することは極めて困難である。このようにＩＣカードを紛失した状態においては、自動改札口をスムーズに通過することができず、結果として煩雑さが増す虞もある。
【０００８】
そこで、本考案はこのような問題点を解決するものであって、ＩＣタグ等の認識部材を紛失する虞のない認識部材付履物及びＩＣタグ等の認識部材を具備する踵部材を提供することを課題とする。
【課題を解決するための手段】
【０００９】
前記問題点を解決するために、本考案の請求項１に記載の考案の認識部材付履物は、個人情報を記憶した認識部材を踵部材に設け、踵部材を着脱可能に取り付けた認識部材付履物において、踵部材は複数の層から構成され、上層及び下層にて狭持されるいずれか一層に形成される取付部に認識部材を設置したことを特徴とするものである。
【００１０】
また、本考案の請求項２に記載の考案の認識部材付履物は、請求項１に記載の認識部材付履物において、取付部を貫通孔若しくは凹部としたものである。
【００１１】
また、本考案の請求項３に記載の考案の認識部材付履物は、請求項１又は請求項２に記載の認識部材付履物において、取付部を認識部材と略同形としたものである。
【００１２】
また、本考案の請求項４に記載の考案の認識部材付履物は、請求項１乃至請求項３のいずれか１項に記載の認識部材付履物において、取付部が踵部材における中層位置に形成されるものである。
【００１３】
また、本考案の請求項５に記載の考案の踵部材は、個人情報を記憶した認識部材を具備し、履物に着脱可能に取り付けられる踵部材において、複数層から構成され、上層及び下層にて狭持されるいずれか一層に形成される取付部に認識部材を設置したものである。
【００１４】
また、本考案の請求項６に記載の考案の踵部材は、請求項５に記載の踵部材において、取付部を貫通孔若しくは凹部としたものである。
【００１５】
また、本考案の請求項７に記載の考案の踵部材は、請求項５又は請求項６に記載の踵部材において、取付部を認識部材と略同形としたものである。
【００１６】
また、本考案の請求項８に記載の考案の踵部材は、請求項５乃至請求項７のいずれか１項に記載の踵部材において、取付部が複数層における中層位置に形成されるものである。
【考案の効果】
【００１７】
本考案の請求項１又は請求項２に記載の認識部材付履物では、踵部材は複数の層から構成され、上層及び下層にて狭持されるいずれか一層に形成される取付部又は貫通孔若しくは凹部に認識部材を設置したので、認識部材のみが露呈することがなく紛失する虞がない。
また、使用者が履物を着装した状態においては、会社、工場等の床面に内蔵して設置され、認識部材内の各種の情報を管理する個人情報管理装置と連結される送受信装置上又は傍を歩くことで、認識部材のインタフェース部と送受信装置との各種情報のやり取りが確実に行うことができ、使用者を識別することができる。
【００１８】
本考案の請求項３に記載の認識部材付履物では、取付部を認識部材と略同形としたので、使用者が着装して使用している最中に認識部材と取付部を有する層との衝突音が発生することもない。
【００１９】
本考案の請求項４に記載の認識部材付履物では、取付部を踵部材における中層位置に形成したので、認識部材に対する外部からの影響を受けにくくすることができる。これにより耐久性を向上させることができる。
【００２０】
本考案の請求項５又は請求項６に記載の踵部材では、複数層から構成され、上層及び下層にて狭持されるいずれか一層に形成される取付部又は貫通孔若しくは凹部に認識部材を設置したので、認識部材のみが露呈することがなく紛失する虞がない。
【００２１】
本考案の請求項７に記載の踵部材では、取付部を認識部材と略同形としたので、使用者が着装して使用している最中に認識部材と取付部を有する層との衝突音が発生することもない。
【００２２】
本考案の請求項８に記載の踵部材では、取付部を複数層における中層位置に形成したので、認識部材に対する外部からの影響を受けにくくすることができる。これにより耐久性を向上させることができる。
【図面の簡単な説明】
【００２３】
【図１】本考案に係る認識部材付履物の正面図である。
【図２】本考案に係る認識部材付履物の底面図である。
【図３】本考案に係る認識部材付履物の踵部材を構成する上層部、中層部及び下層部の斜視図である。
【考案を実施するための形態】
【００２４】
以下、本考案の実施の形態における認識部材付履物を図面に基づいて説明する。履物とは、靴、サンダル、下駄、スリッパ、ブーツ、スニーカー等を指すもので、以下の実施例においては靴を例に採り説明する。
【実施例】
【００２５】
本考案に係る認識部材付履物である認識部材付靴１は、図１に示すように、靴本体２、靴底３及び認識部材５を具備する踵部材４によって構成される。
【００２６】
図１及び図２に示すように、踵部材４の内側にはＩＣタグ、ＩＣチップ等の認識部材５が設置されている。踵部材４は、例えば、ＮＢＲ（ニトリルブタジエンゴム）等の合成ゴムから成形され、靴本体２における踵部に対応し得る外形を有する。
【００２７】
また、図３に示すように、踵部材４は、略同様の外形を有する上部層４ａ、中部層４ｂ及び下部層４ｄの３層から構成される。中部層４ｂには、略中央部に認識部材５を設置し得る略同形の取付部４ｃが設けられている。取付部４ｃは、貫通孔であってもよいし、凹部であってもよいものである。凹部である場合には、認識部材５を設置した際に、認識部材５の上面が中部層４ｂの上面より突出しなければよく、認識部材５の上面と中部層４ｂの上面が同一平面であることがより好ましい。これにより、認識部材と取付部を有する層とのカタカタといった衝突音が発生するのを防止することができる。当該上部層４ａ、中部層４ｂ及び下部層４ｄは、中部層４ｂの取付部４ｃに認識部材５を設置した後、相互を圧着させることで、踵部材４は形成される。
【００２８】
更に、踵部材４は、複数の層から形成され、上部層４ａ及び下部層４ｄにて狭持されるいずれか一層に形成される取付部４ｃに認識部材５が設置されていればよい趣旨で、必ずしも認識部材５を踵部材４の中層に設ける必要はないものである。
【００２９】
このようにして形成される踵部材４は、靴本体２の踵部に接着した後、踵部材４の縁部に釘打ちを行うことで靴本体２に固着される。すなわち、従来における踵部と同様にして取替えが可能なものである。
【００３０】
認識部材５とは、各種の情報を組み込んだＩＣタグ、ＩＣチップ等で各種の遊園地、レジャー施設、医療現場、会社又は工場等といった使用者を特定して認識し得る部材を指すもので、内部制御を行う制御部と、各種の情報を記憶しておく記憶部と、外部と各種情報をやり取りするインタフェース部とから構成される。また、認識部材５のインタフェース部と送受信装置とは、電磁結合又は電磁波、電波等の波動を用いた非接触型の送受信を行う方が望ましい。
【００３１】
以上、説明した本考案の実施例に係る認識部材付靴１によれば、使用者が着装した状態にて、会社、工場等の床面に内蔵して設置され、認識部材５内の各種の情報を管理する個人情報管理装置と連結される送受信装置上又は傍を歩くことで、認識部材５のインタフェース部と送受信装置との各種情報のやり取りを確実に行うことができ、使用者を識別することができる。
また、取替え可能な踵部材４における中部層４ｂに認識部材５を組み込んだことから、認識部材５のみが露呈することがなく紛失する虞がない。
更に、取付部４ｃを踵部材４における中部層４ｂに形成したので、認識部材５に対する外部からの影響を受けにくくすることができる。これにより耐久性を向上させることができる。
【符号の説明】
【００３２】
１      認識部材付靴
２      靴本体
３      靴底
４      踵部材
４ａ    上部層
４ｂ    中部層
４ｃ    取付部
４ｄ    下部層
５      認識部材
【図１】
0003150987.tif 000003
【図２】
0003150987.tif 000004
【図３】
0003150987.tif 000005